(57)【要約】【課題】熱交換能力を確保しつつ薄型化が可能な空気調和機を提供する。【解決手段】ケーシング２内に左右方向に左側熱交換器１１と右側熱交換器１２を配列する。上記左側熱交換器１１は、前面が前方に面する平面部１１aと、その平面部１１aの左側方と右側方から後面側に湾曲する湾曲部１１b,１１cとを有する。上記右側熱交換器１２は、前面が前方に面する平面部１２aと、その平面部１２aの左側方と右側方から後面側に湾曲する湾曲部１２b,１２cとを有する。また、左側熱交換器１１と右側熱交換器１２の下流側でかつ左側熱交換器１１と右側熱交換器１２の下端よりも２つのファンロータ１４,１５の回転中心が下側になるように、ケーシング２内にクロスフローファン１０を配置する。【選択図】図１
2006090584.tif 000002
【特許請求の範囲】
【請求項１】
ケーシング(２,１０２)と、
上記ケーシング(２,１０２)内に配置され、前面が前方に面する平面部(１１a,１２a)とその平面部(１１a,１２a)の左側方と右側方のうちの少なくとも一方から後面側に湾曲する湾曲部(１１b,１１c,１２b,１２c)とを有する熱交換器(１１,１２,１１２)と、
上記ケーシング(２,１０２)内の上記熱交換器(１１,１２,１１２)の下流側に、上記熱交換器(１１,１２,１１２)の下端よりも回転中心が下側または上記熱交換器(１１,１２,１１２)の上端よりも回転中心が上側になるように配置されたクロスフローファン(１０,１１０)とを備えたことを特徴とする空気調和機。
【請求項２】
請求項１に記載の空気調和機において、
上記熱交換器(１１,１２,１１２)の上記湾曲部(１１b,１１c,１２b,１２c)は、上記平面部(１１a,１２a)の左側方と右側方に設けられていることを特徴とする空気調和機。
【請求項３】
請求項２に記載の空気調和機において、
上記熱交換器(１１,１２,１１２)は、左右方向に沿って配列された左側熱交換器(１１)と右側熱交換器(１２,１１２)であることを特徴とする空気調和機。
【請求項４】
請求項１乃至３のいずれか１つに記載の空気調和機において、
上記クロスフローファン(１０,１１０)は、回転軸の両端が両側に突出するモータ部(１３)と、そのモータ部(１３)の回転軸の両端に夫々固定された２つのファンロータ(１４,１５,１１５)とを有することを特徴とする空気調和機。
【請求項５】
請求項１乃至４のいずれか１つに記載の空気調和機において、
上記熱交換器(１１,１２,１１２)は、長手方向が略鉛直方向になるように配列された板状の複数のフィン(３１)と、上記複数のフィン(３１)を貫通する複数の伝熱管(３２)とを有することを特徴とする空気調和機。
【請求項６】
請求項３に記載の空気調和機において、
上記ケーシング(２)内の上記左側熱交換器(１１)と上記右側熱交換器(１２)との間に電装品箱(１６)が配置されていることを特徴とする空気調和機。
【請求項７】
請求項３に記載の空気調和機において、
上記クロスフローファン(１０,１１０)は、回転軸の両端が両側に突出するモータ部(１３)と、そのモータ部(１３)の回転軸の両端に夫々固定された２つのファンロータ(１４,１５)とを有し、
上記ケーシング(２,１０２)内の上記左側熱交換器(１１)と上記右側熱交換器(１２,１１２)との間に上記モータ部(１３)が配置されていることを特徴とする空気調和機。
【発明の詳細な説明】
【技術分野】
【０００１】
この発明は、空気調和機に関する。
【背景技術】
【０００２】
従来、空気調和機としては、小型化のために熱交換器の断面を折り曲げ形状にしたものがある(例えば、特許第３２６１９３７号(特許文献１)参照)。上記空気調和機は、前面側と上面側から吸い込まれる室内空気が、断面折り曲げ形状の熱交換器を通過するようにしている。
【０００３】
ところで、上記構成の空気調和機では、熱交換器が奥行き寸法を利用した折り曲げ形状にしているため、奥行き方向の薄型化には限界がある。しかしながら、商品としての付加価値が高まるスリムな外観の空気調和機を実現するため、奥行き方向のさらなる薄型化が望まれている。
【特許文献１】特許第３２６１９３７号
【発明の開示】
【発明が解決しようとする課題】
【０００４】
そこで、この発明の目的は、熱交換能力を確保しつつ薄型化が可能な空気調和機を提供することにある。
【課題を解決するための手段】
【０００５】
上記目的を達成するため、この発明の空気調和機は、ケーシングと、上記ケーシング内に配置され、前面が前方に面する平面部とその平面部の左側方と右側方のうちの少なくとも一方から後面側に湾曲する湾曲部とを有する熱交換器と、上記ケーシング内の上記熱交換器の下流側に、上記熱交換器の下端よりも回転中心が下側または上記熱交換器の上端よりも回転中心が上側になるように配置されたクロスフローファンとを備えたことを特徴とする。
【０００６】
上記構成の空気調和機によれば、前方に面する平面部とその平面部の左側方と右側方のうちの少なくとも一方に後面側に湾曲する湾曲部とを有する熱交換器をケーシング内に配置することによって、前面側から熱交換器の平面部を介して空気を吸い込み、側面側から熱交換器の湾曲部を介して空気を吸い込み、側方の湾曲部により熱交換面積をかせぐことで奥行きを短くすることが可能となる。さらに、このような構成の熱交換器において、軸方向を長くして奥行きを短くできるクロスフローファンを、ケーシング内の熱交換器の下流側に、熱交換器の下端よりも回転中心が下側または熱交換器の上端よりも回転中心が上側になるように配置することによって、熱交換器とクロスフローファンとの奥行き方向の重なりを少なくしているので、熱交換有効面積が同じ条件において、従来の裏面側に湾曲させた折り曲げ形状の熱交換器よりも奥行き寸法を短くでき、熱交換能力を確保しつつ薄型化ができる。
【０００７】
また、一実施形態の空気調和機は、上記熱交換器の上記湾曲部は、上記平面部の左側方と右側方に設けられていることを特徴とする。
【０００８】
上記実施形態の空気調和機によれば、上記熱交換器の湾曲部が平面部の左側方と右側方に設けられているので、ケーシングの左右の両側面のスペースを熱交換に有効に利用して、能力を向上できる。
【０００９】
また、一実施形態の空気調和機は、上記熱交換器は、左右方向に沿って配列された左側熱交換器と右側熱交換器であることを特徴とする。
【００１０】
上記実施形態の空気調和機によれば、ケーシング内に左右方向に沿って配列された左側熱交換器と右側熱交換器は、湾曲部が平面部の左側方と右側方に設けられているので、ケーシングの両側方のスペースを熱交換に有効に利用するだけでなく、左側熱交換器と右側熱交換器との間にも対向する湾曲部が設けられている分、熱交換面積を増大でき、能力を向上できる。
【００１１】
また、一実施形態の空気調和機は、上記クロスフローファンは、回転軸の両端が両側に突出するモータ部と、そのモータ部の回転軸の両端に夫々固定された２つのファンロータとを有することを特徴とする。
【００１２】
上記実施形態の空気調和機によれば、回転軸の両端が両側に突出するモータ部と、そのモータ部の回転軸の両端に夫々固定された２つのファンロータとを有するクロスフローファンを用いることによって、２つのファンロータ構成よりも軸方向が長くなる１つのファンロータの一端に回転軸を固定して回転駆動するよりも回転軸のねじれや振動を低減でき、安定した静かな送風性能が得られる。
【００１３】
また、一実施形態の空気調和機は、上記熱交換器は、長手方向が略鉛直方向になるように配列された板状の複数のフィンと、上記複数のフィンを貫通する複数の伝熱管とを有することを特徴とする。
【００１４】
上記実施形態の空気調和機によれば、熱交換器の板状の複数のフィンを長手方向が略鉛直方向になるように配列することによって、複数のフィンの間を縦方向に結露水が流れるので、結露水の処理と露飛びの防止が容易にでき、熱交換器の下側のクロスフローファンへのスムーズな風経路が形成される。また、熱交換器の平面部側方の湾曲部の湾曲加工が容易にできる。
【００１５】
また、一実施形態の空気調和機は、上記ケーシング内の上記左側熱交換器と上記右側熱交換器との間に電装品箱が配置されていることを特徴とする。
【００１６】
上記実施形態の空気調和機によれば、ケーシング内の左側熱交換器と右側熱交換器との間に電装品箱を配置することによって、ケーシング内のスペースを有効に利用することができる。
【００１７】
また、一実施形態の空気調和機は、上記クロスフローファンは、回転軸の両端が両側に突出するモータ部と、そのモータ部の回転軸の両端に夫々固定された２つのファンロータとを有し、上記ケーシング内の上記左側熱交換器と上記右側熱交換器との間に上記モータ部が配置されていることを特徴とする。
【００１８】
上記実施形態の空気調和機によれば、回転軸の両端が両側に突出するモータ部と、そのモータ部の回転軸の両端に夫々固定された２つのファンロータとを有するクロスフローファンを用いることによって、回転軸のねじれや振動を防止できる。また、上記ケーシング内の左側熱交換器と右側熱交換器との間にモータ部を配置することによって、ケーシング内のスペースを有効に利用することができる。
【発明の効果】
【００１９】
以上より明らかなように、この発明の空気調和機によれば、熱交換能力を確保しつつ薄型化が可能な空気調和機を実現することができる。
【発明を実施するための最良の形態】
【００２０】
以下、この発明の空気調和機を図示の実施の形態により詳細に説明する。
【００２１】
(第１実施形態)
図１(a)はこの発明の第１実施形態の空気調和機の構成を示す上面図であり、図１(b)は上記空気調和機の構成を示す正面図である。
【００２２】
図１(a),(b)に示すように、上記空気調和機は、前面パネル３が前面側に取り付けられたケーシング２と、上記ケーシング２内に左右方向に配列された左側熱交換器１１と右側熱交換器１２と、上記左側熱交換器１１と右側熱交換器１２との間に回転軸１３aが両側に突出するモータ部１３と、そのモータ部１３の回転軸１３aの両側に夫々固定された２つのファンロータ１４,１５と、上記左側熱交換器１１と右側熱交換器１２との間かつモータ部１３の上側に配置された電装品箱１６とを備えている。上記モータ部１３と２つのファンロータ１４,１５でクロスフローファン１０を構成している。なお、上記前面パネル３に吸込口がグリル状に形成されていてもよいし、前面パネル３が開動作して、開口部が吸込口になってもよい。また、図示しないが、ケーシング２の左右の側面には、吸込口がグリル状に形成されている。
また、上記左側熱交換器１１は、前面が前方に面する平面部１１aと、その平面部１１aの左側方から後面側に湾曲する湾曲部１１bと、その平面部１１aの右側方から後面側に湾曲する湾曲部１１cとを有する。また、上記右側熱交換器１２は、前面が前方に面する平面部１２aと、その平面部１２aの右側方から後面側に湾曲する湾曲部１２bと、その平面部１２aの左側方から後面側に湾曲する湾曲部１２cとを有する。なお、上記左側熱交換器１１と右側熱交換器１２は、長手方向が略鉛直方向になるように配列された板状の複数のフィン３１と、上記複数のフィン３１を貫通する複数の伝熱管３２とを有する。
【００２３】
また、図２は図１のII−II線から見た断面図を示している。図２に示すように、左側熱交換器１１,右側熱交換器１２(図２では１２のみを示す)の下流側かつ左側熱交換器１１と右側熱交換器１２の下端よりもファンロータ１４,１５(図２では１５のみを示す)の回転中心Ｏ1が下側になるように、クロスフローファン１０をケーシング２内に配置している。図２において、３１〜３４は配管である(図１では省略)。
【００２４】
上記モータ部１３によりファンロータ１４,１５が回転すると、前面側および左右の側面側から室内空気が吸い込まれる。そして、吸い込まれた空気は、左側熱交換器１１の平面部１１aと湾曲部１１b,１１cおよび右側熱交換器１２の平面部１２aと湾曲部１２b,１２cを介して下側の吹出口４から吹き出す。このとき、吹出口４に設けられた水平フラップ２１により吹き出し空気の風向が上下方向に制御される。また、吹出口４に設けられた複数の垂直フラップ((図示せず))により吹き出し空気の風向が左右方向に制御される。
【００２５】
また、図３は図１(a),図１(b)の右側方から見た側面図を示しており、左側熱交換器１１と右側熱交換器１２(図３では１２のみを示す)の下側に、左側熱交換器１１と右側熱交換器１２から滴下する結露水を受けるドレンパン２０を配置している(図１(a),図１(b)参照)。上記ドレンパン２０は、左側熱交換器１１と右側熱交換器１２から滴下する結露水が本体中央に集まるように傾斜を設けており、その中央の最下端部でドレン配管(図示せず)と接続している。
【００２６】
また、図４(a)は上記空気調和機の構成を示す上方から見た外観図を示し、図４(b)は上記空気調和機の正面から見た外観図を示している。また、図５は上記空気調和機の右側方から見た外観図を示している。図５において、２aは配管引き出し用の切り欠きを覆うカバーである。
【００２７】
上記構成の空気調和機によれば、前面が前方に面する平面部１１aとその平面部１１aの左側方と右側方から後面側に湾曲する湾曲部１１b,１１cとを有する左側熱交換器１１、および、前面が前方に面する平面部１２aとその平面部１２aの左側方と右側方から後面側に湾曲する湾曲部１２b,１２cとを有する右側熱交換器１２がケーシング２内に配置され、さらに左側熱交換器１１と右側熱交換器１２の下流側かつ左側熱交換器１１と右側熱交換器１２の下端よりも２つのファンロータ１４,１５回転中心が下側になるように、クロスフローファン１０をケーシング２内に配置しているので、熱交換面積が同じ条件において裏面側に湾曲させた折り曲げ形状の熱交換器よりも奥行き寸法を短くでき、熱交換能力を確保しつつ薄型化ができる。また、上記空気調和機では、上面から空気を吸い込む吸込口を設ける必要がないので、上方から落ちてくる塵などの侵入がない。
【００２８】
また、上記左側熱交換器１１と右側熱交換器１２の湾曲部１１b,１１c,１２b,１２cが平面部１１a,１２aの左側方と右側方に設けられているので、ケーシング２の両側方のスペースを熱交換に有効に利用することができ、能力を向上できると共に、、左側熱交換器１１と右側熱交換器１２との間にも対向する湾曲部１１b,１１c,１２b,１２cが設けられている分、熱交換面積を増大でき、能力をさらに向上できる。
【００２９】
また、回転軸の両端が両側に突出するモータ部１３と、そのモータ部１３の回転軸の両端に夫々固定された２つのファンロータ１４,１５とを有するクロスフローファン１０を用いることによって、回転軸のねじれや振動を低減でき、安定した静かな送風性能を得ることができる。
【００３０】
また、上記左側熱交換器１１と右側熱交換器１２において、板状の複数のフィン３１を長手方向が略鉛直方向になるように配列することによって、複数のフィン３１間を縦方向に結露水が流れ、結露水の処理と露飛びの防止を容易に行うことができると共に、左側熱交換器１１と右側熱交換器１２の平面部１１a,１２a側方の湾曲部１１b,１１c,１２b,１２cの湾曲加工を容易に行うことができる。
【００３１】
また、上記ケーシング２内の左側熱交換器１１と右側熱交換器１２との間に電装品箱１６とモータ部１３を配置することによって、ケーシング２内のスペースを有効に利用することができ、配線も短くすることができる。
【００３２】
さらに、上記ケーシング２内に左側熱交換器１１と右側熱交換器１２を左右対称に配置し、その左側熱交換器１１と右側熱交換器１２との間に電装品箱１６とモータ部１３を配置しているので、接続部を中央に配置することにより、ケーシング２の左右の一方から引き出される配線や冷媒配管などの左右への取り回しが容易になる。
【００３３】
(第２実施形態)
図６はこの発明の第２実施形態の空気調和機の構成を示す断面図であり、この発明の第２実施形態の空気調和機は、クロスフローファンおよび吹出口の位置を除いて上記第１実施形態の空気調和機と同一の構成をしている。図６はこの第２実施形態の空気調和機の断面図(図１のII−II線から見た断面図に相当)である。図６に示すように、左側熱交換器,右側熱交換器(図６では１１２のみを示す)の下流側かつ左側熱交換器と右側熱交換器１１２の上端よりもファンロータ(図６では１１５のみを示す)の回転中心Ｏ2が上側になるように、クロスフローファン１１０をケーシング１０２内に配置している。図６において、１３１〜１３４は配管である。また、図示しないが、左側熱交換器,右側熱交換器(図６では１１２のみを示す)の下側に、左側熱交換器,右側熱交換器１１２から滴下する結露水を受けるドレンパンを配置している。上記ドレンパンは、第２実施形態の空気調和機のドレンパンと同様の構成をしており、左側熱交換器と右側熱交換器１１２から滴下する結露水が本体中央に集まるように傾斜を設けており、その中央の最下端部でドレン配管(図示せず)と接続している。
【００３４】
上記モータ部１１３によりファンロータ(図６では１１５のみを示す)が回転すると、前面側および左右の側面側から室内空気が吸い込まれる。そして、吸い込まれた空気は、第１実施形態の空気調和機と同様、左側熱交換器の平面部と湾曲部および右側熱交換器１１２の平面部と湾曲部を介して下側の吹出口１０４から吹き出す。このとき、吹出口１０４に設けられた水平フラップ１２１により吹き出し空気の風向が上下方向に制御される。また、吹出口１０４に設けられた複数の垂直フラップ((図示せず))により吹き出し空気の風向が左右方向に制御される。
【００３５】
この第２実施形態の空気調和機は、第１実施形態と同様の効果を有する。
【００３６】
上記第１,第２実施形態では、平面部１１aと湾曲部１１b,１１cとを有する左側熱交換器１１および平面部１２aと湾曲部１２b,１２cとを有する右側熱交換器１２をケーシング２内に配置した空気調和機について説明したが、熱交換器はこれに限らず、平面部とその平面部の左側方と右側方の少なくとも一方が後面側に湾曲する湾曲部とを有する１つの熱交換器であってもよい。
【図面の簡単な説明】
【００３７】
【図１】図１(a)はこの発明の第１実施形態の空気調和機の構成を示す上面図であり、図１(b)は上記空気調和機の構成を示す正面図である。
【図２】図２は図１のII−II線から見た断面図である。
【図３】図３は図１(a),図１(b)に示す空気調和機を右側方から見た側面図である。
【図４】図４(a)は上記空気調和機の構成を示す上方から見た外観図であり、図４(b)は上記空気調和機の正面から見た外観図である。
【図５】図５は上記空気調和機の右側方から見た外観図である。
【図６】図６はこの発明の第２実施形態の空気調和機の断面図である。
【符号の説明】
【００３８】
１…空気調和機
２,１０２…ケーシング
３,１０３…前面パネル
４,１０４…吹出口
１０,１１０…クロスフローファン
１１…左側熱交換器
１１a…平面部
１１b,１１c…湾曲部
１２,１１２…右側熱交換器
１２a…平面部
１２b,１２c…湾曲部
１３…モータ部
１４,１５,１１５…ファンロータ
１６…電装品箱
２０…ドレンパン
３１〜３４,１３１〜１３４…配管
【図１】
2006090584.tif 000003
【図２】
2006090584.tif 000004
【図３】
2006090584.tif 000005
【図４】
2006090584.tif 000006
【図５】
2006090584.tif 000007
【図６】
2006090584.tif 000008